(57)【要約】【課題】ペット動物の毛の手入れ等のブラッシング及び伸びすぎた毛の刈り込みや整髪等のための毛のカットを、毛抜けやミスカット等のトラブルを生じることなく安心して安全に実施し得るカットコームを提供する。【解決手段】櫛本体１の櫛歯７の歯基近傍に該櫛歯７の配列方向に沿って配置された固定側と可動側との一対のバリカン刃２，３を有し、可動側バリカン刃３を固定側バリカン刃２に対してスライド動作させるためのレバー４を備え、前記一対のバリカン刃２，３を櫛本体１に対して櫛歯７の歯基近傍への突出位置と櫛本体１内への退入位置とに移動操作兼締付固定手段（止めねじ５とナット６）により切替固定可能に配設してある。【選択図】      図１
2004236766.tif 000002
【特許請求の範囲】
【請求項１】
櫛本体の櫛歯の歯基近傍に該櫛歯の配列方向に沿って配置された固定側と可動側との一対のバリカン刃を有し、可動側バリカン刃を固定側バリカン刃に対してスライド動作させるためのレバーを備え、前記一対のバリカン刃を櫛本体に対して櫛歯の歯基近傍への突出位置と櫛本体内への退入位置とに切替固定可能に配設してあることを特徴とするカットコーム。
【請求項２】
前記レバーは、櫛本体の把手部に突出退入可能に設置されており、かつ、前記一対のバリカン刃の退入位置でロック可能とされていることを特徴とする請求項１記載のカットコーム。
【請求項３】
前記一対のバリカン刃は、前記櫛本体に対して突出位置と退入位置とに切替移動させる移動操作兼締付固定手段を有し、前記櫛本体は、前記移動操作兼締付固定手段を前記突出位置と退入位置とに案内する長穴を備え、前記移動操作兼締付固定手段は前記長穴内の任意の位置で位置決め固定可能とされていることを特徴とする請求項１又は２に記載のカットーコーム。
【請求項４】
前記一対のバリカン刃のうち、固定側バリカン刃は前記移動操作兼締付固定手段と一体移動可能に装着されているが、可動側バリカン刃は前記手段に対して、スライド方向に自由移動可能で突出退入方向には一体移動可能に装着されていることを特徴とする請求項３に記載のカットコーム。
【請求項５】
前記櫛本体は、２分割構造とされ、その一方に櫛歯が１列で配設され、前記一対のバリカン刃が櫛本体の２分割面に形成された窓穴から突出退入可能とされていることを特徴とする請求項１〜４の何れかに記載のカットコーム。
【請求項６】
前記一対のバリカン刃は、刃留金具の弾性によって相互に密着保持され、かつ、固定側バリカン刃が該刃留金具に固定係止され、可動側バリカン刃が該刃留金具にスライド可能に係止されており、前記刃留金具は、櫛本体に形成されたガイド溝によって前記一対のバリカン刃の突出退入方向には移動可能に案内保持されているが、可動側バリカン刃のスライド方向には移動しないように保持されていることを特徴とする請求項１〜５の何れかに記載のカットコーム。
【発明の詳細な説明】
【０００１】
【発明の属する技術分野】
本発明は、例えば、犬、猫等のペット動物の毛の手入れ等のブラッシングと併行して伸びすぎた毛の刈り込みや整髪等のために毛をカットする機能を兼ね備えたカットコームに関するものである。
【０００２】
【従来の技術】
従来、櫛にカット機能を兼備させた先行技術文献として、「梳き鋏」の作用を持たせた櫛形ヘアーカットレザーが公知となっている（例えば、特許文献１参照。）。
また、櫛と鋏を合体させたような散髪器具も公知である（例えば、特許文献２参照。）。
更に、従来、図１２に示すように、櫛本体１０１の櫛歯１０２の歯基近傍に固定側バリカン刃１０３と可動側バリカン刃１０４とを配置し、必要に応じて櫛本体１０１の把手部１０５に設置したレバー１０６を押圧操作することにより連結杆１０７を介して可動側バリカン刃１０４をスライドさせて櫛歯１０２の間の毛をカットするようにした商品が市販されている。なお、レバー１０６は、ばね１０８で常時櫛本体１０１の把手部１０５から露出状態とされている。また、櫛本体１０１は、２つに分けられた蓋体１０９、１１０を４箇所でねじ１１１により固定して閉じられている。
【０００３】
【特許文献１】
実開平５−８８４７９号公報
【特許文献２】
登録実用新案第３００８９１７号公報
【０００４】
【発明が解決しようとする課題】
しかしながら、従来の特許文献１のものは、カッターが常時、櫛歯の間に露出した状態で固定してあるため、ブラッシングだけに使用することができず、常に梳き櫛となってペット動物の毛をカットしてしまうという問題点がある。
また、特許文献２のものは、レバーを操作することにより、１枚のカッターを櫛歯に沿って移動させて、各櫛歯の間にある毛を順番にカットさせていくというものであるが、これでは、毛が櫛歯の間から逃げ易く、恰も、暖簾に腕押しのようになり、望み通りに毛をカットすることが難しく、また、鋏及びレバーが常時動作可能状態にあり、ロックしていないため、ブラッシングだけに使用するときでもミスカットを生ずるという問題点がある。
【０００５】
更に、図１２のものは、バリカン刃１０３，１０４が常時露出しているため、ブラッシング時、バリカン刃１０３，１０４に毛が引っかかり易く、毛抜けのトラブルが防止できないばかりでなく、バリカン刃１０３、１０４が常時動作可能状態にあり、レバー１０６もロックをしていないため、ブラッシング時、レバー１０６を誤作動させてバリカン刃１０３，１０４でミスカットを生ずるといった問題点があった。
そこで、本発明は、上記問題点に鑑み、ペット動物の毛の手入れ等のブラッシング及び伸びすぎた毛の刈り込みや整髪等のための毛のカットを、毛抜けやミスカット等のトラブルを生じることなく安心して安全に実施し得るカットコームを提供するようにしたものである。
【０００６】
【課題を解決するための手段】
この技術的課題を解決するための本発明の技術的手段は、櫛本体の櫛歯の歯基近傍に該櫛歯の配列方向に沿って配置された固定側と可動側との一対のバリカン刃を有し、可動側バリカン刃を固定側バリカン刃に対してスライド動作させるためのレバーを備え、前記一対のバリカン刃を櫛本体に対して櫛歯の歯基近傍への突出位置と櫛本体内への退入位置とに切替固定可能に配設してあることを特徴としている。
【０００７】
この構成によれば、バリカン刃を櫛本体内に退入させておくことにより、ブラッシング時のミスカット及び毛の引っかかりや毛抜けのトラブルを確実に防止することができ、また、伸びすぎた毛等のカット時にはバリカン刃を櫛本体から突出させてレバーを操作することにより、安心して安全にペット動物の毛をカットすることができる。
また、本発明の技術的手段は、前記レバーは、櫛本体の把手部に突出退入可能に設置されており、かつ、前記一対のバリカン刃の退入位置でロック可能とされていることを特徴としている。
【０００８】
この構成によれば、ブラッシング時に一対のバリカン刃を櫛本体内に退入させておき、その状態で、レバーもロックさせておくことができるため、バリカンの誤操作を確実に防止することができる。
また、本発明の技術的手段は、前記一対のバリカン刃は、前記櫛本体に対して突出位置と退入位置とに切替移動させる移動操作兼締付固定手段を有し、前記櫛本体は、前記移動操作兼締付固定手段を前記突出位置と退入位置とに案内する長穴を備え、前記移動操作兼締付固定手段は前記長穴内の任意の位置で位置決め固定可能とされていることを特徴としている。
【０００９】
この構成によれば、移動操作兼締付固定手段の締付けを緩めることによって、移動操作兼締付固定手段を櫛本体の長穴内で移動させることができ、該手段を締め付けることにより、長穴内の任意の位置で該手段を位置決め固定することができる。
また、本発明の技術的手段は、前記一対のバリカン刃のうち、固定側バリカン刃は前記移動操作兼締付固定手段と一体移動可能に装着されているが、可動側バリカン刃は前記手段に対して、スライド方向に自由移動可能で突出退入方向には一体移動可能に装着されていることを特徴としている。
【００１０】
この構成によれば、一対のバリカン刃を突出位置と退入位置とに切替移動させるとき、移動操作兼締付固定手段を移動させることによって一体的に移動させることができるが、この移動操作兼締付固定手段に対して、可動側バリカン刃をスライド方向に自由移動可能に装着してあるため、一対のバリカン刃を使用してペット動物の毛をカットする場合には、レバーの操作により可動側バリカン刃を固定側バリカン刃に対してスライド移動させることができるため、スムーズにカットすることができる。
【００１１】
また、本発明の技術的手段は、前記櫛本体は、２分割構造とされ、その一方に櫛歯が１列で配設され、前記一対のバリカン刃が櫛本体の２分割面に形成された窓穴から突出退入可能とされていることを特徴としている。
この構成によれば、一対のバリカン刃を櫛本体内に容易に組み込むことができる。
また、本発明の技術的手段は、前記一対のバリカン刃は、刃留金具の弾性によって相互に密着保持され、かつ、固定側バリカン刃が該刃留金具に固定係止され、可動側バリカン刃が該刃留金具にスライド可能に係止されており、前記刃留金具は、櫛本体に形成されたガイド溝によって前記一対のバリカン刃の突出退入方向には移動可能に案内保持されているが、可動側バリカン刃のスライド方向には移動しないように保持されていることを特徴としている。
【００１２】
この構成によれば、一対のバリカン刃が刃留金具で一体化され、櫛本体内への組み込み作業時の取り扱いに便利であり、組み込み作業性を向上させることができる。しかも、上記刃留金具を櫛本体に形成されたガイド溝で案内規制させることによって一対のバリカン刃の動作を可能に保持させているため、構造が簡単かつ合理的となり、櫛本体を薄肉化することができる。
【００１３】
【発明の実施の形態】
以下、本発明の実施の形態を図面に基づいて説明する。
図１〜図５は本発明のカットコームの実施の一形態を示すものであって、櫛本体１と、一対のバリカン刃２，３と、レバー４と、移動操作兼締付固定手段５、６とを主たる構成部材としている。
櫛本体１は、先端側の一方の側面に複数本の櫛歯７を一列で配列しており、後端側に把手部８を有している。櫛本体１は、櫛歯７の配列方向に沿って第１部材１ａと第２部材１ｂとに２分割されており、第１部材１ａに櫛歯７が設けられている。櫛本体１は、樹脂で製作され、その際、櫛歯７が同一材料又は別材料からなる樹脂で一体的に成形される。なお、静電気対策として、櫛歯７のみを金属ピンとし、これを櫛本体１の第１部材１ａに埋め込み設置してもよい。
【００１４】
一対のバリカン刃２，３は、図９及び図１０に示すように、ステンレス又は適宜の金属材料で櫛本体１の櫛歯７の配列長さに対応した適宜の長さに構成され、長手方向下面に沿って略同一ピッチで鋸刃２ａ，３ａが形成されており、一方が固定側とされ、他方が可動側とされている。これらは、刃留金具９により長手方向の２箇所で一体的に組み合わされている。
刃留金具９は、図１１（Ａ）（Ｂ）（Ｃ）に示すように、ばね鋼等の適宜の金属板を２つ折りして、一対のバリカン刃２，３を上面において厚み方向の両側から弾性的に挟持するように二股クリップ形状に形成され、二股の内側に係止突起９ａ，９ｂが形成されている。この係止突起９ａ，９ｂは、一対のバリカン刃２，３に形成された係止穴２ｂ，３ｂに係止させてあり、これによって、一対のバリカン刃２，３は一体的に保持されている。但し、可動側バリカン刃３の係止穴３ｂは、図９に示すように、スライド方向（長手方向）の長穴とされ、この長穴によって固定側バリカン刃２に対して可動側バリカン刃３のスライド方向の移動を可能としている。
【００１５】
一対のバリカン刃２，３は、櫛本体１の２分割面に形成された窓穴１０から突出退入可能とされている（図４、図５参照）。
また、一対のバリカン刃２，３を保持する刃留金具９、９は、櫛本体１の内面に形成されたガイド溝１１、１１によって前記一対のバリカン刃２，３の突出退入方向には移動可能に案内保持しているが、可動側バリカン刃３のスライド方向には移動しないように保持している。
レバー４は、櫛本体１と同一材料又は別材料からなる樹脂で製作され、先端側に一体又は別体で設けた枢軸１２を櫛本体１の長手方向の略中央部の軸受穴１３に嵌め込んで回動可能に枢着されており、常時、ばね１４によってレバー４の後端部が把手部８から図１の鎖線で示すように突出せしめられている。このレバー４は、図４に示すように、櫛本体１の２分割面に形成された窓穴１５から把手部８内に退入可能とされている。
【００１６】
レバー４の先端と可動側バリカン刃３の後端とは、図２、図３に示すように、連結ピン１６により連結されている。但し、可動側バリカン刃３のピン穴は長穴１７とされている。この長穴１７の長手方向は、一対のバリカン刃２，３の突出退入方向と一致せしめられており、この方向はまた、可動側バリカン刃３のスライド方向と直交する方向とされている。これにより、可動側バリカン刃３がレバー４と連結してあるにも拘らず、一対のバリカン刃２，３を突出退入方向に切替移動可能としていると共に、レバー４の枢軸１２を中心とする円弧運動を連結ピン１６と長穴１７とによって可動側バリカン刃３のスライド方向の直線往復運動に変換させている。なお、レバー４の先端のピン穴は丸穴１８であって、この丸穴１８に連結ピン１６を圧入している。
【００１７】
移動操作兼締付固定手段５，６は、本実施形態では、止めねじ５とナット６とで構成した場合を例示している。
上記止めねじ５は、ナット６と共同して、一対のバリカン刃２，３を櫛本体１に対して突出位置と退入位置とに切替移動させるためのものである。櫛本体１は、止めねじ５を突出位置と退入位置とに案内する長穴１９を両側面に設けている。
また、ナット６は、止めねじ５と共同して、櫛本体１を両側から挟持することにより、その座面摩擦力で長穴１９内の任意の位置で位置決め固定するためのものである。
【００１８】
前記止めねじ５は、１本のねじ部材からなり、固定側バリカン刃２は、丸穴２ｃにより止めねじ５と一体移動可能に装着されているが、可動側バリカン刃３は、止めねじ５に対して、長穴３ｃによりスライド方向に自由移動可能で突出退入方向には一体移動可能に装着されている。上記丸穴２ｃ及び長穴３ｃの形成位置は、一対のバリカン刃２，３の中央部上面とされている。これにより、櫛本体１内における一対のバリカン刃２，３の収納スペースの縮小化を図っている。
前記止めねじ５の頭部５ａは四角形（六角形でもよい）とされており、櫛本体１の外面側において、前記長穴１９の周囲に形成された長方形座面２０に嵌合されることにより、回り止めされる構成とされている。そして、止めねじ５のねじ部５ｂの先端にナット６が螺合される。ナット６は、樹脂で被覆されており、外周面にローレット加工が施されている。なお、ナット６が装着される座面は、楕円形座面２０’とされている。
【００１９】
櫛本体１の第１部材１ａと第２部材１ｂとは、先端側において、図７及び図８に示すように、凹部１ｃと凸部１ｄとを嵌合させることにより結合し、後端側においては締付ねじ２１で結合している。なお、締付ねじ２１の結合後には蓋２２を嵌合している。
櫛本体１の第２部材１ｂの先端側内面には、図８に示すように、可動側バリカン刃３の退入位置でレバー４をロックさせておくためのロック用ストッパ２３が設けられている。このロック用ストッパ２３は、図１に示すように、レバー４を把手部８内に退入させたとき、可動側バリカン刃３が把手部８側に引き寄せられ、可動側バリカン刃３の先端がロック用ストッパ２３の後端より外れる位置関係に設定されている。この状態でナット６を緩めて上方向に持ち上げて一対のバリカン刃２，３を退入させることができる。この退入位置でナット６を締め付けて一対のバリカン刃２，３を退入位置に固定すると、可動側バリカン刃３の先端がロック用ストッパ２３の後端面に当接し、レバー４が退入位置でロックされる。
【００２０】
上記実施の形態によれば、一対のバリカン刃２，３は、図１に示す突出状態において、レバー４を操作することにより、可動側バリカン刃３を距離ｓだけスライド方向に往復移動させることができる。また、レバー４を図１に示すように把手部８内に退入操作した状態で、ナット６の締付けを緩めることにより、一対のバリカン刃２，３を、櫛本体１に対して、図１に示すように、寸法ｈだけ上下方向に移動させることができる。
図１に示すように、一対のバリカン刃２，３を櫛本体１に対して、突出位置に設定しておくと、可動側バリカン刃３の先端は、ロック用ストッパ２３の下側に位置して不干渉となり、レバー４で距離ｓだけスライド移動させることができ、ペット動物の毛をカットすることに使用することができる。
【００２１】
また、一対のバリカン刃２，３を櫛本体１内に退入させる場合は、一旦、レバー４を図１の実線に示す退入状態に保持して、ナット６を緩め上に向けて押し上げ、その位置でナット６を締付ければよい。この状態では、レバー４は、ロック状態となる。
以上のように、本発明の実施形態に示すカットコームは、ペット動物の毛をブラッシングする場合には、一対のバリカン刃２，３を櫛本体１内に退入させておくことができると共に、レーバー４も退入状態にロックすることができる。従って、ブラッシング時において、一対のバリカン刃２，３に毛が引っかからず、スムーズにブラッシングができ、毛抜け等のトラブルが発生することはない。
【００２２】
なお、本発明は、上記実施の形態に限定されるものではない。例えば、櫛本体１の外観形状や内部形状は、本発明の目的に適合する範囲で種々変形して実施することができる。また、レバー４は櫛本体１の上面側に取付けても良い。さらに、一対のバリカン刃２，３の櫛本体１内への組み込み構造やレバー４との連結構造も本発明の特許請求範囲で定義された範囲内で変形して実施してもよい。また、一対のバリカン刃２，３は、櫛本体１からの突出長さを調節可能としてもよい。その際には、ロック用ストッパ２３の下端位置を図示した状態より上方に上げて、一対のバリカン刃２，３を最上部位置まで退入させたときだけ、レバー４をロックさせるようにすればよい。また、移動操作兼締付固定手段５，６は、止めねじとナット以外でもよい。
【００２３】
【発明の効果】
本発明によれば、ペット動物の毛の手入れ等のブラッシング及び伸びすぎた毛の刈り込みや整髪等のための毛のカットを、毛抜けやミスカット等のトラブルを生じることなく安心して安全に実施し得るカットコームを提供することができる。
【図面の簡単な説明】
【図１】本発明のカットコームの実施形態の正面図である。
【図２】本発明のカットコームの実施形態における分解斜視図である。
【図３】本発明のカットコームの実施形態における櫛本体の第２部材を除去した状態の正面図である。
【図４】本発明のカットコームの実施形態における底面図である。
【図５】本発明のカットコームの実施形態における止めねじ及びナットの位置における縦断側面図である。
【図６】本発明の実施形態に用いるレバーの背面図である。
【図７】本発明の実施形態に用いる櫛本体の第１部材の内側正面図である。
【図８】本発明の実施形態に用いる櫛本体の第２部材の内側正面図である。
【図９】本発明の実施形態に用いる可動側バリカン刃の正面図である。
【図１０】本発明の実施形態に用いる固定側バリカン刃の正面図である。
【図１１】（Ａ）（Ｂ）（Ｃ）本発明の実施形態に用いる刃留金具の正面図、側面図、背面図である。
【図１２】従来のカットコームの分解斜視図である。
【符号の説明】
１    櫛本体
１ａ  第１部材
１ｂ  第２部材
２    固定側バリカン刃
３    可動側バリカン刃
４    レバー
５    止めねじ（移動操作兼締付固定手段）
６    ナット（移動操作兼締付固定手段）
７    櫛歯
８    把手部
９    刃留金具
１０  窓穴
１１  ガイド溝
１２  枢軸
１３  軸受穴
１４  ばね
１５  窓穴
１６  連結ピン
１７  長穴
１８  丸穴
１９  長穴
２０  長方形座面
２０’楕円状座面
２１  止めねじ
２２  蓋
２３  ロック用ストッパ
【図１】
2004236766.tif 000003
【図２】
2004236766.tif 000004
【図３】
2004236766.tif 000005
【図４】
2004236766.tif 000006
【図５】
2004236766.tif 000007
【図６】
2004236766.tif 000008
【図７】
2004236766.tif 000009
【図８】
2004236766.tif 000010
【図９】
2004236766.tif 000011
【図１０】
2004236766.tif 000012
【図１１】
2004236766.tif 000013
【図１２】
2004236766.tif 000014